(57)【要約】【課題】肩に掛けたときのフィット感が良く、肩掛け紐に対する着脱も容易な肩掛け紐カバーを提供する。【解決手段】肩掛け紐カバー１は、肩掛け紐の延在方向に沿って細長い略矩形状のシート部材２と、シート部材２の長手方向の一端側に設けられた第１の一対の面ファスナー３ａ，３ｂと、シート部材２の長手方向の他端側に設けられた第２の一対の面ファスナー３ｃ、３ｄとを備え、シート部材２の長手方向の中央部には面ファスナー非形成領域２ｚが設けられている。【選択図】図４
0003224077.tif 000002
【実用新案登録請求の範囲】
【請求項１】
肩掛け紐に沿って細長い略矩形状のシート部材と、前記シート部材の長手方向の一端側に設けられた第１の一対の面ファスナーと、前記シート部材の長手方向の他端側に設けられた第２の一対の面ファスナーとを備え、前記シート部材の長手方向の中央部には面ファスナー非形成領域が設けられていることを特徴とする肩掛け紐カバー。
【請求項２】
前記シート部材は、幅方向の中央部に位置する主面部と、幅方向の一端側に位置する第１折り返し部と、幅方向の他端側に位置する第２折り返し部とを有し、前記主面部と前記第１折り返し部との間に第１ステッチが設けられており、前記主面部と前記第２折り返し部との間に第２ステッチが設けられている、請求項１に記載の肩掛け紐カバー。
【請求項３】
前記主面部の厚さは、前記第１折り返し部及び前記第２折り返し部よりも厚い、請求項２に記載の肩掛け紐カバー。
【考案の詳細な説明】
【技術分野】
【０００１】
本考案は、肩掛け紐に着脱自在に取り付けられる肩掛け紐カバーに関する。
【背景技術】
【０００２】
多くの水筒には肩掛け紐が設けられており、肩に掛けて持ち歩くことができるようになっている。しかし、水筒に飲み物をたくさん入れると水筒が重くなり、ステンレス製の水筒の場合には水筒自体が重いこともあり、小さな子供には負荷が非常に大きい。このような問題は、水筒に限らず、ショルダーバッグ、トートバッグ、買い物袋、ナップザックなどでも起こりうる。
【０００３】
肩掛け紐の肩への食い込みを軽減する肩掛け紐カバーも知られている。例えば、特許文献１には、買い物袋保持用肩掛け紐の肩当体が記載されている。この肩当体は略長方形状の布体であり、互いに接着する一対の面ファスナー、支持紐が挿通される環状片、買い物袋を収納するための収納部を備えており、面ファスナーは肩当体の長手方向の全体をカバーするように設けられている。
【先行技術文献】
【特許文献】
【０００４】
【特許文献１】実用新案登録第３１７９３１２号公報
【考案の概要】
【考案が解決しようとする課題】
【０００５】
しかしながら、上述した従来の肩当体は、面ファスナーが肩当体の長手方向の略全体に延在しているので、肩当体を肩に沿って折り曲げにくく、フィット感が悪いという問題がある。また、面ファスナーの面積が大きいため、面ファスナーが強く接着しすぎてしまい、肩掛け紐カバーを取り外しにくいという問題がある。
【０００６】
したがって、本考案の目的は、肩に掛けたときのフィット感が良く、肩掛け紐に対する着脱も容易な肩掛け紐カバーを提供することにある。
【課題を解決するための手段】
【０００７】
上記課題を解決するため、本考案による肩掛け紐カバーは、肩掛け紐に沿って細長い略矩形状のシート部材と、前記シート部材の長手方向の一端側に設けられた第１の一対の面ファスナーと、前記シート部材の長手方向の他端側に設けられた第２の一対の面ファスナーとを備え、前記シート部材の長手方向の中央部には面ファスナー非形成領域が設けられていることを特徴とする。
【０００８】
本考案によれば、肩掛け紐カバーを肩掛け紐に容易に取り付けることができる。また、肩掛け紐の頂上位置には面ファスナーが存在しないので、肩掛け紐カバーを容易に折り曲げることができ、肩掛け紐のフィット感を向上させることができる。
【０００９】
本考案において、前記シート部材は、幅方向の中央部に位置する主面部と、幅方向の一端側に位置する第１折り返し部と、幅方向の他端側に位置する第２折り返し部とを有し、前記主面部と前記第１折り返し部との間に第１ステッチが設けられており、前記主面部と前記第２折り返し部との間に第２ステッチが設けられていることが好ましい。これにより、第１折り返し部及び第２折り返し部を容易に折り返すことができる。
【００１０】
前記主面部の厚さは、前記第１折り返し部及び前記第２折り返し部よりも厚いことが好ましい。これにより、第１及び第２折り返し部の折り返し易さを確保しつつ肩掛け紐の肩への食い込みをさらに軽減して担ぎ心地をさらに向上させることができる。
【考案の効果】
【００１１】
本考案によれば、肩に掛けたときのフィット感が良く、肩掛け紐に対する着脱も容易な肩掛け紐カバーを提供することができる。
【図面の簡単な説明】
【００１２】
【図１】図１は、本考案の実施の形態による肩掛け紐カバーの使用例を示す略斜視図である。
【図２】図２は、肩掛け紐カバーの展開図であって、（ａ）は裏面側の平面図、（ｂ）は（ａ）のＸ−Ｘ線に沿った断面図、（ｃ）は表面側の平面図、（ｄ）は（ｃ）のＸ−Ｘ線に沿った断面図である。
【図３】図３（ａ）〜（ｃ）は、肩掛け紐カバーの肩掛け紐への取り付け手順を説明する図である。
【図４】図４は、肩掛け紐カバーの使用状態を詳細に示す略斜視図である。
【考案を実施するための形態】
【００１３】
以下、添付図面を参照しながら、本考案の好ましい実施の形態について詳細に説明する。
【００１４】
図１は、本考案の実施の形態による肩掛け紐カバー１の使用例を示す略斜視図である。
【００１５】
図１に示すように、本実施形態による肩掛け紐カバー１は、例えば水筒１０の肩掛け紐１１に取り付けられて使用されるものであり、肩掛け紐１１の肩への食い込みを防止する肩当てとして用いられるものである。通常、肩掛け紐１１にはアクリル繊維、ナイロン繊維等の合成繊維を編み込んだ、粗い織り目を持つ丈夫な平紐が用いられる。
【００１６】
図２は、肩掛け紐カバー１の展開図であって、（ａ）は裏面側の平面図、（ｂ）は（ａ）のＸ−Ｘ線に沿った断面図、（ｃ）は表面側の平面図、（ｄ）は（ｃ）のＸ−Ｘ線に沿った断面図である。
【００１７】
図２（ａ）〜（ｄ）に示すように、肩掛け紐カバー１は、細長い一枚の矩形状の布製のシート部材２を用いて構成されており、長手方向（Ｙ方向）と直交する幅方向（Ｘ方向）の両側が互いに重なり合うように内側に折り返して筒状体を形成し、筒内に肩掛け紐１１を通すようにして肩掛け紐１１に取り付けられるものである。そのため、シート部材２は、幅方向（Ｘ方向）の中央部に位置する主面部２ａと、幅方向の一端側に位置する第１折り返し部２ｂと、幅方向の他端側に位置する第２折り返し部２ｃとを有している。
【００１８】
特に限定されるものではないが、肩掛け紐１１の幅が２〜３ｃｍである場合、シート部材２の主面部２ａの幅は３．５〜５．５ｃｍであることが好ましく、４ｃｍ程度であることが特に好ましい。また、第１及び第２折り返し部２ｂ，２ｃの幅は３．０〜４．０ｃｍであることが好ましく、３．５ｃｍ程度であることが特に好ましい。シート部材２の長さは２５〜３５ｃｍ程度であることが好ましく、３０ｃｍ程度であることが特に好ましい。
【００１９】
図２（ｂ）及び（ｄ）に示すように、シート部材２の主面部２ａの厚さは、第１及び第２折り返し部２ｂ、２ｃよりも厚いことが好ましい。シート部材２は、２枚の布地を重ね合わせて縫合することにより作製されることが好ましく、２枚の布地の間にキルト芯２ｄを挟むことで主面部２ａをさらに厚手にすることが好ましい。これにより、クッション性が高く丈夫な肩掛け紐カバー１を実現することができる。また、２枚の布地のうちの一方には絵柄の布地を用い、他方には無地又は別の絵柄の布地を用いることで、表面と裏面のデザインを異ならせることが好ましい。これにより、２種類のデザインを選択できるリバーシブルな肩掛け紐カバー１を実現することができる。
【００２０】
本実施形態において、主面部２ａと第１折り返し部２ｂとの間には第１ステッチ５ａが設けられていることが好ましく、主面部２ａと第２折り返し部２ｂとの間に第２ステッチ５ｂが設けられていることが好ましい。これにより、第１折り返し部２ｂ及び第２折り返し部２ｃの所望の位置での折り返しを容易にすることができる。
【００２１】
肩掛け紐１１の延在方向に沿ったシート部材２の長手方向の一端側にはオスメス一対の面ファスナー３ａ，３ｂが設けられており、シート部材２の長手方向の他端側にもオスメス一対の面ファスナー３ｃ，３ｄが設けられている。面ファスナー３ａ〜３ｄの長さはシート部材２の長さの１／３程度であるため、シート部材２の長手方向の中央部には面ファスナー非形成領域２ｚが設けられている。
【００２２】
第１折り返し部２ｂ側に設けられた面ファスナー３ａ，３ｃは、第１折り返し部２ｂの表面側に設けられており、第２折り返し部２ｃ側に設けられた面ファスナー３ｂ，３ｄは、第２折り返し部２ｃの裏面側に設けられている。これにより第１折り返し部２ｂ及び第２折り返し部２ｃを内側に折り返して重ね合わせたときに両者を面ファスナーで接着固定することができ、シート部材２を筒状にすることができる。
【００２３】
図３（ａ）〜（ｃ）は、肩掛け紐カバー１の肩掛け紐１１への取り付け手順を説明する図である。
【００２４】
肩掛け紐カバー１を肩掛け紐１１に取り付ける場合には、まず図３（ａ）に示すように、肩掛け紐カバー１のシート部材２の裏面側の主面部２ａ上に肩掛け紐１１を配置する。
【００２５】
次に図３（ｂ）に示すように、第１折り返し部２ｂを内側に折り返して肩掛け紐１１を覆う。これにより、第１折り返し部の２ｂ表面側に設けられた面ファスナー３ａ，３ｃが上向きの状態となる。
【００２６】
さらに図３（ｃ）に示すように、第２折り返し部２ｃを内側に折り返して第１折り返し部２ｂに重ね合わせる。このとき、第１折り返し部２ｂの表面側に設けられた面ファスナー３ａ，３ｃが第２折り返し部２ｃの表面側に設けられた面ファスナー３ｂ、３ｄに接続され、肩掛け紐１１は筒状の肩掛け紐カバー１に挿通された状態となる。以上により、肩掛け紐カバー１の肩掛け紐１１への取り付けが完了する。
【００２７】
図４は、肩掛け紐カバー１の使用状態を詳細に示す略斜視図である。
【００２８】
図４に示すように、肩掛け紐１１を持ち上げて肩に掛けた状態では、面ファスナー非形成領域２ｚがちょうど肩掛け紐カバー１の折れ曲がり位置になるので、肩掛け紐カバー１を肩に掛けたときのフィット感を向上させることができる。また、面ファスナーが肩掛け紐カバー１の長手方向の全体に設けられている場合には一対の面ファスナーの接着状態を切り離すために強い力が必要であったが、本考案では面ファスナーが分割されているので、小さな子供でも肩掛け紐カバー１の着脱を容易に行うことができる。
【００２９】
以上説明したように、本実施形態による肩掛け紐カバー１は、肩掛け紐１１に沿って細長い略矩形状のシート部材２と、シート部材２の長手方向の一端側に設けられた第１の一対の面ファスナー３ａ，３ｂと、シート部材２の長手方向の他端側に設けられた第２の一対の面ファスナー３ｃ、３ｄとを備え、シート部材２の長手方向の中央部には面ファスナー非形成領域２ｚが設けられているので、肩掛け紐カバー１を肩掛け紐１１に合わせて容易に折り曲げることができ、肩に掛けたときのフィット感を向上させることができる。また、肩掛け紐カバー１の肩掛け紐１１への着脱を容易に行うことができる。
【００３０】
以上、本考案の好ましい実施の形態について説明したが、本考案は上記実施形態に限定されることなく、本考案の趣旨を逸脱しない範囲で種々の変更を加えることが可能であり、これらも本考案に包含されるものであることは言うまでもない。
【００３１】
例えば、上記実施形態においては、シート部材２の主面部２ａの厚さを第１折り返し部２ｂ及び第２折り返し部２ｃよりも厚く形成しているが、主面部２ａを第１折り返し部２ｂ及び第２折り返し部２ｃと同じ厚さにしても良い。また、第１ステッチ５ａ及び第２ステッチ５ｂを省略することも可能である。
【００３２】
また上記実施形態においては水筒の肩掛け紐に取り付けられる肩掛け紐カバーを例に挙げたが、本考案は水筒用に限定されるものではなく、水筒に限らず、ショルダーバッグ、トートバッグ、買い物袋、ナップザックなどに用いることもできる。ただし、水筒用の肩掛け紐カバーとして用いる場合、小さな子供が肩にかけたときの負荷を軽減する効果が大きいことから、本考案の効果が顕著である。
【符号の説明】
【００３３】
１    肩掛け紐カバー
２    シート部材
２ａ    主面部
２ｂ    第１折り返し部
２ｃ    第２折り返し部
２ｄ    キルト芯
２ｚ    面ファスナー非形成領域
３ａ〜３ｄ    面ファスナー
５ａ，５ｂ    ステッチ
１０    水筒
１１    肩掛け紐
【図１】
0003224077.tif 000003
【図２】
0003224077.tif 000004
【図３】
0003224077.tif 000005
【図４】
0003224077.tif 000006